(57)【要約】【課題】基台に対するセンサーレンズの位置決めが簡単に行えるようにする。【解決手段】基本の六面体の六面の内、レンズ部２１を設ける面を正方形とし、その基準の正方形の内部にレンズ部２１を内接する長方形を、その長辺、短辺のそれぞれが、基準の正方形面の辺と４５度の角度を成すように投影し、その長方形端面の長方形の各辺からレンズの厚み方向、後方に向かって、テーパ面２２を形成したものをセンサーレンズ２０とする。基台３０には、センサーレンズ２０のテーパ面２２が挿嵌される挿嵌部３１を設け、センサーレンズ２０を、その挿嵌部３１に挿嵌すると、センサーレンズ２０の光軸と、基台３０の光の貫通路３２の光軸が一致するようにする。そうすると、平面視、円形レンズ部２１の中心を基準に上下左右の四つの向きで挿嵌するので、挿嵌部３１に挿嵌するだけで、光軸に沿う方向、直交する方向の位置決めは勿論、光軸回りの位置決めも簡単に行える。【選択図】図１
2007122827.tif 000002
【特許請求の範囲】
【請求項１】
少なくとも一組の対向面が正方形である六面体の、その正方形の対向面の一方の面に、
レンズ形状が形成されたセンサーレンズの、そのセンサーレンズから入射する光の貫通路
が設けられた光ピックアップの基台への取り付け構造であって、
そのレンズ形状が形成された基準の正方形の面に、そのレンズ形状を包含し、かつ、そ
の基準の正方形に内包される第２の正方形を、その一辺がセンサーレンズの向きと平行に
なるように、かつ、基準の正方形の辺と４５度の角度を成すように投影した面を端面とし
、その第２の正方形端面の各辺から前記六面体の厚み方向の後方に、同じ角度のテーパ面
を形成したものをセンサーレンズとするとともに、基台側に、そのテーパ形状が嵌合可能
な挿嵌部を設け、その挿嵌部は、そこに、そのテーパ面を有したセンサーレンズを挿嵌さ
せた際、センサーレンズの光軸と、基台側の前記光の貫通路の光軸とが一致するようにな
っていることを特徴とするセンサーレンズの光ピックアップの基台への取り付け構造。
【請求項２】
六面体の一つの矩形の面にレンズ形状が形成されたセンサーレンズの、そのセンサーレ
ンズから入射する光の貫通路が設けられた光ピックアップの基台への取り付け構造であっ
て、
そのレンズ形状が形成された矩形の面に、そのレンズ形状を包含し、かつ、その矩形に
内包される第２の矩形を、その一辺がセンサーレンズの向きと平行になるように投影した
面を端面とし、その第２の矩形端面の各辺から前記六面体の厚み方向の後方に、同じ角度
のテーパ面を形成したものをセンサーレンズとするとともに、基台側に、そのテーパ形状
が嵌合可能な挿嵌部を設け、その挿嵌部は、そこに、そのテーパ面を有したセンサーレン
ズを挿嵌させた際、センサーレンズの光軸と、基台側の前記光の貫通路の光軸とが一致す
るようになっていることを特徴とするセンサーレンズの光ピックアップの基台への取り付
け構造。
【請求項３】
請求項１または２に記載のセンサーレンズの取り付け構造を有した光ピックアップ。
【発明の詳細な説明】
【技術分野】
【０００１】
この発明は、光ピックアップにおいて、非焦点収差法によるフォーカシングエラー補正
（フォーカシング制御）を行うために組み込まれるセンサーレンズの取り付け構造の改良
に関する。
【背景技術】
【０００２】
図２は、上記センサーレンズを含み、上記非焦点収差法によってフォーカシングエラー
補正を行う方式の光ピックアップの光学系の概略構成を模式的に示したものである。図２
（ａ）に示すように、この光学系は、レーザー光を発射する円柱状のＬＥＤ１１（発光ダ
イオード）と、このＬＥＤ１１から発せられるレーザー光を回折する、樹脂性で円柱状の
グレーティングレンズ１２とを有した光源ユニットと、その光源ユニットのグレーティン
グレンズ１２から出射された回折光を光ディスク１３に集束させるレンズ群とを備えてい
る。
【０００３】
レンズ群は、今述べた光源ユニットから出射されたレーザー光（回折光）を光ディスク
１３の記録面に向けて反射させるとともに、その光ディスク１３からの反射光を透過させ
るハーフミラーやプリズムといったビームスプリッタ１４と、このビームスプリッタ１４
からの反射光を平行光にするコリメータレンズ１５と、このコリメータレンズ１５からの
平行光を光ディスク１３の記録面に集束させる対物レンズ１６と、ビームスプリッタ１４
を透過した光ディスク１３からの反射光を、上記センサーレンズ１７を介して受光する検
出器１８とから成る。
【０００４】
この内、センサーレンズ１７は、上記したように、非焦点収差法によるフォーカシング
エラー補正を行うためのものであって、図２（ｂ）に示すように、直方体の長手方向に対
向する一組の面の内の一方の側にレンズ形状１７ａが形成されたものである。そのレンズ
形状の後方、中実部を挟んで、他方の側に空洞１７ｂが設けられた形状になっている。そ
の断面形状を（ａ）に示している。
【０００５】
その取り付けは、（ａ）に断面で示したように、そのレンズ形状が形成された面に垂直
な面を光ピックアップの基台１９に立設された位置決め用の壁１９ａに面着させるととも
に、レンズ形状が形成された面を、その載置面１９ｂに押し付けて位置決めする。載置面
１９ｂには、図の下側の前記検出器１８に臨む光の貫通路１９ｃが設けられている。
【０００６】
そして、位置決めが確定すると、センサーレンズ１７と基台１９の面着部（位置決め用
の壁１９ａ、載置面１９ｂ）に、例えば、紫外線硬化型接着剤などを塗布して、紫外線を
照射して硬化させて、取り付けを完了する。以上が、センサーレンズ１７と、その光ピッ
クアップの基台１９への取り付け形態の一従来例である。
【発明の開示】
【発明が解決しようとする課題】
【０００７】
ところで、センサーレンズの光ピックアップの基台への取り付けにあっては、光軸方向
の位置精度のみならず、自身に入射する光の光軸と自身の光軸とが一致するかどうか、す
なわち、自身の光軸の入射光軸に対する垂直度、および、その中心位置に精度が要求され
る。
【０００８】
ところが、上記従来のセンサーレンズについての取り付け形態では、上記のような取り
付け精度に関わる要素を満たそうとすると、基台の取り付け面に対して、部品三面の垂直
度を必要とし、基台との接触面を大きくとって位置決めするために、部品の寸法が大きく
なる傾向があった。これは、あらゆる分野で小型化が進められている現状に反するもので
ある。
【０００９】
また、位置決めして固定する際の固定治具を必要とし、取り付け作業が煩雑なものとな
っていた。
【００１０】
そこで、本発明は、センサーレンズの取り付けが精度高く、かつ、簡単な形で実現でき
るようにすることを課題とする。
【課題を解決するための手段】
【００１１】
上記課題を達成するため、本発明は、少なくとも一組の対向面が正方形である六面体の
、その正方形の対向面の一方の面に、レンズ形状が形成されたセンサーレンズの、そのセ
ンサーレンズからの光が通過する貫通路が設けられた光ピックアップの基台への取り付け
構造であって、
そのレンズ形状が形成された基準の正方形の面に、そのレンズ形状を包含し、かつ、そ
の基準の正方形に内包される第２の正方形を、その一辺がセンサーレンズの向きと平行に
なるように、かつ、基準の正方形の辺と４５度の角度を成すように投影した面を端面とし
、その第２の正方形端面の各辺から前記六面体の厚み方向の後方に、同じ角度のテーパ面
を形成したものをセンサーレンズとするとともに、基台側に、そのテーパ形状が嵌合可能
な挿嵌部を設け、その挿嵌部は、そこに、そのテーパ面を有したセンサーレンズを挿嵌さ
せた際、センサーレンズの光軸と基台側の前記光の貫通路の光軸とが一致するようになっ
ている構成としたのである。
【００１２】
また、六面体の一つの矩形の面にレンズ形状が形成されたセンサーレンズの、そのセン
サーレンズから入射する光の貫通路が設けられた光ピックアップの基台への取り付け構造
であって、
そのレンズ形状が形成された矩形の面に、そのレンズ形状を包含し、かつ、その矩形に
内包される第２の矩形を、その一辺がセンサーレンズの向きと平行になるように投影した
面を端面とし、その第２の矩形端面の各辺から前記六面体の厚み方向の後方に、同じ角度
のテーパ面を形成したものをセンサーレンズとするとともに、基台側に、そのテーパ形状
が嵌合可能な挿嵌部を設け、その挿嵌部は、そこに、そのテーパ面を有したセンサーレン
ズを挿嵌させた際、センサーレンズの光軸と、基台側の前記光の貫通路の光軸とが一致す
るようになっている構成としてもよい。
【発明の効果】
【００１３】
本発明は、上記のように構成したので、位置決めの際、センサーレンズのテーパ部を、
それに対応した基台の挿嵌部に挿嵌するだけで良いので、治具も不用で、位置決めが簡単
に行える。
【００１４】
また、位置決めがテーパ面だけで行えるので、従来例のように、特に、レンズを厚み方
向などに大きな寸法をとって、その長い寸法で基台側の載置面に沿わせて位置決めをして
いた場合のように、余分な寸法をとる必要がなく、部品の小型化に寄与する。
【００１５】
さらに、最終的に固定する際も、押し付けるのは光軸方向のみで良く、光軸を中心とし
て四方が拘束されているので、位置ズレのおそれも小さく、固定の際に無理な力を加える
こともないので、センサーレンズや基台に傷を付けたりするおそれもない。
【発明を実施するための最良の形態】
【００１６】
以下、この発明の実施の形態を、図面を参照して説明する。図１は、本実施形態のセン
サーレンズの一例を（ａ）に斜視図で示し、（ｂ）にレンズ形状が形成された端面を正面
とした正面図で示したものである。また、（ｃ）は本実施形態のセンサーレンズの他の例
のものを、それに設けた本発明の挿嵌形状、すなわちテーパ面に対応する挿嵌部が形成さ
れた基台に取り付けた状態を平面図で示し、（ｄ）に（ｃ）の線Ａ−Ａによる断面を示し
たものである。
【００１７】
図１（ａ）、（ｂ）に示す本実施形態の一例としてのセンサーレンズ１は、基本の六面
体形状の六面の内、レンズ部２が設けられた面が正方形を成している。レンズ部２は、そ
の正方形の内部に投影された第２の正方形３の中心に、それと同芯で、その第２の正方形
３に内接する形で形成されており、このレンズ部２の中心がこのセンサーレンズ１の光軸
が通過する点となっている。
【００１８】
ちなみに、第２の正方形の辺と、それを含んでいる元の六面体の内の正方形の辺は４５
度の角度を成している。また、このセンサーレンズ１のレンズ部２のレンズの向きは、そ
の第２の正方形３の辺に平行なものとなっている。そして、そのレンズ部が設けられた第
２の正方形３の各辺から厚み方向の後方に、同じ角度のテーパ面４を形成したものが本実
施形態の一つ目の形状となっている。以上、（ａ）、（ｂ）では、本実施形態のセンサー
レンズの一例のみを示した。
【００１９】
次に、（ｃ）と（ｄ）を参照して、本実施形態のセンサーレンズの他の例のもの（以下
、このものを第２のセンサーレンズ２０といい、（ａ）、（ｂ）に示した先のものを第１
のセンサーレンズ１ともいう）を、そのテーパ形状に対応した挿嵌部を有する基台に取り
付ける場合について説明する。（ｃ）に二点鎖線で示したのが、その第２のセンサーレン
ズ２０である。図では、センサーレンズ２０を、そのレンズ部２１が設けられた端面とは
反対側の端面が上側に視認される形態になっている。
【００２０】
この第２のセンサーレンズ２０も、基本の六面体形状の六面の内、レンズ部２１が設け
られる面は正方形であるが、先ほどの例のものと異なるのは、その基準の正方形の内部に
レンズ部２１を内接させ、テーパが設けられる際の、そのテーパの起点となる端面の形状
が第１のセンサーレンズの場合、第２の正方形と称した正方形であったのに対し、この第
２のセンサーレンズ２０では、それが長方形を成していることである。その長辺、短辺の
それぞれが、基準の正方形面の辺と４５度の角度を成す、といった形状を成している。こ
のものも、そのレンズ部２１が形成された長方形端面の、その長方形の各辺からレンズの
厚み方向、後方に向かって、テーパ面２２が形成されている。
【００２１】
他方、その（ｃ）に示した第２のセンサーレンズ２０が取り付けられる基台３０にも、
その（ｃ）と、（ｄ）（（ｃ）の線Ａ−Ａによる断面）に示したように、その第２のセン
サーレンズ２０が、そのテーパ面２２で挿嵌される挿嵌部３１を備えており、特に、（ｄ
）に示すように、第２のセンサーレンズ２０のテーパ面２２を、それに対応する基台３０
の挿嵌部３１に挿嵌させると、第２のセンサーレンズ２０の光軸と、基台３０の光の貫通
路３２の光軸とがぴったり一致するような関係となっている。
【００２２】
しかも、その挿嵌関係は、（ｃ）に示すように、レンズ部２１の中心を基準に、図の上
向き、下向き、右向き、左向きの四つの向きで挿嵌しているので、第２のセンサーレンズ
２０を基台３０の挿嵌部３１に挿嵌させると、レンズ部２１の中心、すなわち、第２のセ
ンサーレンズ２０の光軸の周りに回転させることができない。
【００２３】
従って、挿嵌部３１に挿嵌するだけで、光軸に沿う方向、光軸に直交する方向の位置決
めは勿論、この第２のセンサーレンズ２０の位置決めにおいて特に重要な光軸回りの位置
決めが簡単に行える。
【００２４】
このことは、前出の第１のセンサーレンズ１と、図示はしなかったが、基台に設けられ
たその挿嵌部との間にも成り立つ関係である。
【産業上の利用可能性】
【００２５】
この発明は、光ピックアップを始めとして、センサーレンズが搭載される光学機器一般
に適用できる。
【図面の簡単な説明】
【００２６】
【図１】は、本実施形態のセンサーレンズの一例（第１のセンサーレンズ）を（ａ）に斜視図で、（ｂ）にレンズ形状が形成された端面を正面に観た正面図で示し、（ｃ）に本実施形態のセンサーレンズの他の例のもの（第２のセンサーレンズ）を基台の挿嵌部に挿嵌した状態を平面図で示し、（ｄ）に（ｃ）の線Ａ−Ａによる断面を示したものである。
【図２】は、（ａ）に光ピックアップの光源ユニットとレンズ群の構成を模式的に示し、（ｂ）にセンサーレンズの一従来例を斜視図で示したものである。
【００２７】
１    第１のセンサーレンズ
２、２１    レンズ部
４、２２    テーパ面
２０    第２のセンサーレンズ
２２    テーパ面
３０    基台
３１    挿嵌部
３２    光の貫通路
【図１】
2007122827.tif 000003
【図２】
2007122827.tif 000004